(57)【要約】      （修正有）【課題】広告主と利用者の互いの利益を向上させることで、利用者には印刷物及びサービスを低価格で実施できるとともに、広告主にはより多くの機会において広告を可能とすることにより効率的な広告活動が実施できるイベントサービスを提供する。【解決手段】結婚式や披露宴などのイベント依頼者端末３ｂと、広告主端末３ｅ、運営者サーバー１、印刷端末３ｄ、作業端末がネットワーク２を介して接続されるイベントサービスシステムであって、選択された印刷対象物と印刷対象事項の内容によって、切手代、印刷費などの料金を広告主が負担する。【選択図】図１
2011243172.tif 000002
【特許請求の範囲】
【請求項１】
結婚式や披露宴などのイベント依頼者端末と、広告主端末、運営者サーバー、印刷端末、作業端末がネットワークを介して接続されるイベントサービスシステムであって、
前記イベント依頼者端末はネットワークを介して前記運営者サーバーと相互通信可能であり、
１．依頼者も含むイベント対象者情報を入力するイベント対象者入力手段、
２．イベントに関連し開封率あるいは利用率の高い案内状や地図などの高効率印刷物を含む印刷物から利用する印刷対象物を選択する印刷対象物選択手段、
３．各選択された印刷対象物に印刷する印刷対象事項を選択する印刷対象事項選択手段、を備え、
前記広告主端末はネットワークを介して前記運営者サーバーと相互通信可能であり、
１．広告主情報を入力する広告主情報入力手段、
２．印刷対象事項を入力する印刷対象事項入力手段、
３．前記印刷対象物及び印刷対象事項の内容により適用されるサービス料金を設定するサービス料金設定手段、
４．広告主に関するイベントの予約や実施などのイベント情報を閲覧するイベント情報閲覧手段、を備え、
前記運営者サーバーはネットワークを介して前記イベント依頼者端末及び前記広告主端末と相互通信可能であり、
１．イベント対象者情報を蓄積するイベント対象者情報ＤＢ、
２．広告主情報を蓄積する広告主情報ＤＢ、
３．印刷対象物に関する印刷対象物情報を蓄積する印刷対象物情報ＤＢ、
４．印刷対象事項に関する印刷対象事項情報を蓄積する印刷対象事項情報ＤＢ、
５．サービス料金設定に関するサービス料金設定情報を蓄積するサービス料金設定情報ＤＢ、
６．イベントの予約や実施などのイベント情報を蓄積するイベント情報ＤＢ、
７．課金及び利用されたサービス料金に関する課金情報を蓄積する課金情報ＤＢ、
８．イベント対象者端末からの入力内容に基づいて指定された印刷対象物に、指定された印刷対象事項を印刷出力するための印刷出力情報を蓄積する印刷出力情報ＤＢ、
を備え、
前記作業端末はネットワークを介して前記運営者サーバーから該当イベントに対応した印刷出力情報を抽出し、前記印刷装置に印刷出力する印刷出力手段を有し、
前記イベントの実施に際して課金管理を実施する課金管理手段を有することを特徴とするイベントサービスシステム。
【請求項２】
前記イベント依頼者端末はイベント対象者情報に対して、年賀状、喪中はがき、転居案内、誕生報告などの保管性や被読率の高い二次発送物対象者を選択する二次発送物対象者選択手段を具備し、
該二次発送物対象者選択手段にて発送対象となる二次発送物対象者に対して二次発送処理を実施する二次発送処理手段とを具備する請求項１記載のイベントサービスシステム。
【請求項３】
前記実施対象者の年齢や性別、実施内容などの各種種別情報を収集し、任意の統計および解析結果である解析情報を対象広告主に提供する解析情報提供手段を具備することを特微とする請求項１又は２記載のイベントサービスシステム。
【発明の詳細な説明】
【技術分野】
【０００１】  本発明は、結婚式等のイベント実施にあたり、顧客、イベント運営機構、広告主間で構成される管理システムを利用し、イベントに必要な印刷物に企業、団体、組合等の広告主の広告を施すことにより、発送に必要な送料とサービスに関するとともに、広告主にとって低経費で広告効率の高い広告を実施可能とするイベントサービスである。
【背景技術】
【０００２】  従来、郵便はがきに広告主の広告を印刷することにより送料の一部もしくは全部を広告主が負担するシステムがあった。
【先行技術文献】
【特許文献】
【０００３】
【特許文献１】  特開２００３−１６２５６５
【発明の概要】
【発明が解決しようとする課題】
【０００４】  そのために、次のような問題があった。
対象が送付される郵便はがきにのみ限定されるため、利用範囲が狭められ、広告効果がはがきのみに限定されていた。また、郵便はがきは一度メッセージを伝えきった場合において、破棄されたり、その後ほとんど読まれることなく保管されるため、広告が受け取り手の目に触れないため、広告機会が一回に限定されることがほとんどである。このように広告効果の低さのために広告主の参加が増加せず、利用者が割引を受ける機会が非常に少ないものであった。【０００５】  利用料金の課金対象となるサービスの機会が一定であるため、広告提供の場が限定されていた。【０００６】  また、そこからの実施報告で得られる情報も限定的となり、広告を実施したことから経営戦略に活用される情報収集が希薄となっていた。
本発明は以上の欠点を解決するものである。
【課題を解決するための手段】
【０００７】  結婚式や披露宴などのイベント依頼者端末と、広告主端末、運営者サーバー、印刷端末、作業端末がネットワークを介して接続されるイベントサービスシステムであって、
前記イベント依頼者端末はネットワークを介して前記運営者サーバーと相互通信可能であり、
１．依頼者も含むイベント対象者情報を入力するイベント対象者入力手段、
２．イベントに関連し開封率あるいは利用率の高い案内状や地図などの高効率印刷物を含む印刷物から利用する印刷対象物を選択する印刷対象物選択手段、
３．各選択された印刷対象物に印刷する印刷対象事項を選択する印刷対象事項選択手段、を備え、
前記広告主端末はネットワークを介して前記運営者サーバーと相互通信可能であり、
１．広告主情報を入力する広告主情報入力手段、
２．印刷対象事項を入力する印刷対象事項入力手段、
３．前記印刷対象物及び印刷対象事項の内容により適用されるサービス料金を設定するサービス料金設定手段、
４．広告主に関するイベントの予約や実施などのイベント情報を閲覧するイベント情報閲覧手段、を備え、
前記運営者サーバーはネットワークを介して前記イベント依頼者端末及び前記広告主端末と相互通信可能であり、
１．イベント対象者情報を蓄積するイベント対象者情報ＤＢ、
２．広告主情報を蓄積する広告主情報ＤＢ、
３．印刷対象物に関する印刷対象物情報を蓄積する印刷対象物情報ＤＢ、
４．印刷対象事項に関する印刷対象事項情報を蓄積する印刷対象事項情報ＤＢ、
５．サービス料金設定に関するサービス料金設定情報を蓄積するサービス料金設定情報ＤＢ、
６．イベントの予約や実施などのイベント情報を蓄積するイベント情報ＤＢ、
７．課金及び利用されたサービス料金に関する課金情報を蓄積する課金情報ＤＢ、
８．イベント対象者端末からの入力内容に基づいて指定された印刷対象物に、指定された印刷対象事項を印刷出力するための印刷出力情報を蓄積する印刷出力情報ＤＢ、
を備え、
前記作業端末はネットワークを介して前記運営者サーバーから該当イベントに対応した印刷出力情報を抽出し、前記印刷装置に印刷出力する印刷出力手段を有し、
前記イベントの実施に際して課金管理を実施する課金管理手段を有することを特徴とする。
ここで、ＤＢとはデータベースを示す表記であり、以降同様にＤＢと表記する。【０００８】  前記イベント依頼者端末はイベント対象者情報に対して、年賀状、喪中はがき、転居案内、誕生報告などの保管性や被読率の高い二次発送物対象者を選択する二次発送物対象者選択手段を具備し、
該二次発送物対象者選択手段にて発送対象となる二次発送物対象者に対して二次発送処理を実施する二次発送処理手段とを具備する請求項１記載のイベントサービスシステム。【０００９】  前記実施対象者の年齢や性別、実施内容などの各種種別情報を収集し、任意の統計および解析結果である解析情報を対象広告主に提供する解析情報提供手段を具備することも可能である。
【発明の効果】
【００１０】  本発明において、開封率が１００パーセントに近い案内状に広告を施すことで効率的な広告を実施することができる。また、地図に利用した場合においては、会場までの確認のためにイベントまで必ず所持するとともに複数回にわたる視認効果を得ることができる。【００１１】  依頼者は広告を掲載できる印刷物の印刷対象や印刷内容によって、金額割引を増加させることができるため、より経費を削減することが可能となる。この際、広告主としては印刷対象をイベント実施にあたり演出される印刷物に広告印刷が施されることで、様々な演出中に広告が参加者の目に触れ広告効果を高めることができる。また、より視認しやすい大きさや表現方法で広告効果を高めることもできる。【００１２】  広告主にとって広告効果が高く、依頼者にとって経費削減となることに起因し、広告主の利用が向上し、より多くの人が本システムを利用できる環境を広げることが可能となる。これら相乗効果により、広告主及び利用者が互いに利益を受けやすい環境を構築することができる。【００１３】  イベント後の任意の時期に年賀状、喪中はがき、転居案内、誕生報告などの保管性や被読率の高い二次発送物による広告が可能となることで、広告主はより効率的で継続的な広告活動をすることができる。【００１４】  前記実施対象者の年齢や性別、実施内容などの各種種別情報を収集し、任意の統計および解析結果である解析情報を対象広告主に提供する解析情報提供手段を具備することで、解析情報を経営や開発などの事業促進に活用することができる。この際、利用目的の異なる発送物に関する情報も得られるため多岐の解析ができ、より効率的に運用することが可能となる。
【図面の簡単な説明】
【００１５】
【図１】  本発明のシステム概要図
【図２】  本発明のサービス概要図
【図３】  本発明のサービス料金説明図
【図４】  本発明の印刷対象事項選択画面の説明図
【図５】  本発明の印刷対象事項に応じた掛け率説明図
【図６】  本発明の印刷物説明図
【図７】  本発明の印刷物説明図
【図８】  本発明のサービス説明画面の説明図
【図９】  本発明のログイン画面の説明図
【図１０】  本発明の広告主操作画面の説明図
【図１１】  本発明の広告主情報入力画面の説明図
【図１２】  本発明の広告主情報入力画面の説明図
【図１３】  本発明の広告主情報入力画面の説明図
【図１４】  本発明の広告主情報確認画面の説明図
【図１５】  夲発明のポイント管理画面の説明図
【図１６】  本発明のイベント詳細情報画面の説明図
【図１７】  本発明の実施データの説明図
【図１８】  本発明の実施データの説明図
【図１９】  本発明の解析画面の説明図
【図２０】  本発明の解析画面の説明図
【図２１】  本発明の依頼者操作画面の説明図
【図２２】  本発明の依頼者情報入力画面の説明図
【図２３】  本発明の依頼対象者入力画面の説明図
【図２４】  本発明の依頼対象者入力画面の説明図
【図２５】  本発明の依頼者情報確認画面の説明図
【図２６】  本発明の依頼対象者入力画面の説明図
【図２７】  本発明のイベント詳細情報画面の説明図
【図２８】  本発明の二次発送物操作画面の説明図
【図２９】  本発明の二次発送物操作画面の説明図
【図３０】  本発明の二次発送物対象者情報選択画面の説明図
【図３１】  本発明の印刷フォーマット設定画面の説明図
【図３２】  本発明の二次発送物の説明図
【発明を実施するための最良の形態】
【００１６】  以下、本発明におけるイベントサービスを実施するためのシステム構成について図１を用いて説明する。
図１は本発明のシステム概要図である。
ここでは、結婚式、披露宴を対象としてイベントとして説明する。
本発明のシステムは、運営者設備Ａ、依頼者設備Ｂ、広告主設備Ｅが通信回線網２で相互通信可能に接続されている。また、本サービスシステムに利用する印刷物を印刷するためのプリンターがイベント関連施設Ｃあるいは出力センターＥの端末ＰＣ３ｃ、３ｄに接続され前記通信回線網２に接続されている。
次に各設備の詳細設備について説明する。
運営者設備には管理サーバー１が設けられている。管理サーバー１には、イベント対象者情報ＤＢ４、広告主情報ＤＢ５、印刷対象物情報ＤＢ６、印刷対象事項情報ＤＢ７、イベント情報ＤＢ８、課金情報ＤＢ９、印刷出力情報ＤＢ１０が具備される。
イベント対象者情報ＤＢ４は、イベント依頼者である新郎新婦、その親族に関する情報を含み、イベント招待予定のイベント対象者情報を管理するＤＢである。情報としては、氏名、住所、電話番号、Ｅ−Ｍａｉｌ等の個人情報が主体であり、後述するように本サービスに必要な各種情報よりなっている。
広告主情報ＤＢは、依頼者が利用可能な印刷対象事項を提供するとともに、本サービスにおいて利用された際にその内容に応じて切手代、はがき代、印刷代などの料金を負担する広告主に関する情報が管理されている。ここで、広告主に関する情報とは、会社名、住所、代表者、業種などの企業情報をはじめとし、企業コンセプトや各種製品情報を含むものである。
印刷対象物情報ＤＢ６は、広告掲載に利用可能な印刷対象物に関する情報が管理されている。結婚式を例にとると、案内状、地図、出欠はがき、席次表、メニュー、席札、ウェルカムボードなどが印刷対象物であり、それぞれの印刷対象物のサイズや各種印刷内容及び位置などの情報があげられる。また、イベント後の結婚報告や出産報告、年賀状、暑中見舞いなどの二次印刷物も含まれる。あわせて食器、記念品等の引き出物を印刷対象物とすることも可能です。
印刷対象事項情報ＤＢ７は、広告主が設定した印刷利用可能な印刷対象事項情報が管理されている。印刷対象事項情報としては、企業名、企業コンセプトなどのテキスト情報や企業ロゴ、製品写真などの画像情報があげられる。
イベント情報ＤＢ８は、結婚式、二次会などのイベント開催に関する場所、日時などのイベント情報が管理されている。
課金情報ＤＢ９は、広告主の設定した課金管理に必要な課金情報が管理されている。課金情報としては、広告主が設定する各種料金、広告主からの入金、サービス実施にともなう経費などが状況に応じて管理されている。
印刷出力情報ＤＢ１０は、依頼者が選択した前記印刷対象物情報及び印刷対象事項情報及びイベント対象者情報に応じて、印刷するための印刷出力情報が管理されている。この印刷出力情報はイベント関連施設Ｃあるいは出力センターＥの端末ＰＣ３ｃ、３ｄに接続されたプリンターから出力されるのに用いられる。【００１７】  以下、本サービスシステムのサービス概要について図２を用いて説明する。
図２は本発明のサービス概要図である。
本サービスシステムは、図２に示すように結婚式を挙げる依頼者と、広告主と、運営者の３者間において実施されるものである。
本サービスシステムにおいては、運営者がＷＥＢ上でシステムを提供する。
本システムで広告主はシステム利用を申し込み利用可能となる。広告主はＰＣ端末３ｅを用いて広告主情報を設定する。ここで広告主に関する情報とは、会社名、住所、代表者、業種などの企業情報をはじめとし、企業コンセプトや各種製品情報を含むものである。
また、広告主はあらかじめ課金集団により任意金額を課金する。あわせて、サービス料金設定手段により、印刷対象物や印刷対象事項の利用設定に対応したサービス料金設定を実施する。
依頼者は、システム利用を申し込み利用可能となる。そして、システム上用意された各種広告内容から、自身の意思により広告内容を選択するというサービス申込を実施する。
運営者は、依頼者のサービス申込に対応して選択された印刷物に印刷対象事項をイベント関連施設Ｃあるいは出力センターＥの端末ＰＣ３ｃ、３ｄの操作により、これに接続されたプリンターで出力し、イベント実施のタイミングに応じて提供する。
これにより、依頼者は広告主に広告機会を提供し、広告主は印刷物による広告を実現する。ここで、印刷物は結婚式の案内はがきや地図、会場における席次表、メニュー、ウェルカムボードなど非常に開封率や利用率が高いため、他の広告と比較して広告効果が高い広告活動を実現する。この対価として、広告主はその印刷内容に応じて切手代、はがき代、印刷費などの経費負担を担う。この経費負担の発生に応じて、課金状況は変動する。
この経費負担の内容は運営者側から広告主に実施報告として報告される。この実施報告は郵送によるものであってもよいし、ＷＥＢ上での告知や任意閲覧によるものであってもよい。
また、運営者は本サービス実施における各種情報を解析し、その解析情報を広告主に提供し、広告主はこれら解析情報を閲覧できる。これにより、広告主は広告効果のほかに、利用者の解析情報を得ることで製品の開発や営業に活用するマーケティング情報として活用することができる。【００１８】  以下、本サービスシステムのサービス料金設定の事例について図３乃至図７を用いて説明する。
図３は本発明のサービス料金説明図、図４は本発明の印刷対象事項選択画面の説明図、図５は本発明の印刷対象事項に応じた掛け率説明図、図６は本発明の印刷物説明図、図７は本発明の印刷物説明図である。
本サービスは印刷物が提供される人数、印刷対象物、印刷対象事項に応じて料金が設定される。図３はサービス料金の事例であり、ここに示された数値単位はポイントとなっている。ここでは、１ポイントが１０円に該当するものとして説明する。
まず、イベントに際する最初の印刷物は案内はがき１１である。この案内はがき１１には出欠はがきや地図１２が含まれる。ここで、結婚式の案内はがきは１００％に近い開封率であり、受け取った者は内容を確認するため非常に注視率が高く、ここに広告が掲載されたときの広告効果は他の印刷物よりはるかに高いものとなる。また、地図１２は式場にたどり着くために何度も見られるため、これも非常に高い効果が得られる。そのため、サービス料金は、人数に関わらずその件数にそれぞれ２０ポイントが設定される。
また、案内はがきに対して広告効果は薄れるが、参列者が必ず視界に入る席次表、メニュー、席札への印刷に対してはその配布対象となる人数に応じて料金が設定される。例えば、席次表であれば、５０人以下の場合は１０００ポイント、５１〜１００人は１５００ポイント、１０１〜１５０人は２０００ポイント、１５１〜２００人は２５００ポイント、２０１人以上は３０００ポイントとなっている。メニュー、席札も同設定となっているが、広告面積が広く広告効果が高いウェルカムボード（Ｗ・Ｂ）は、２倍の料金設定となっている。また、その他の結婚報告や二次発行物である他のはがきに関しては、案内はがきと同様に件数に対して一津の１２ポイント設定となっている。【００１９】  また、印刷対象事項によってもサービス料金が設定されるようになっている。図４は本発明の印刷対象事項選択画面の説明図である。印刷される対象事項がパターンＡ「社名＋ロコ＋製品＋メッセージ」、パターンＢ「社名＋ロゴ＋製品」、パターンＣ「社名＋ロゴ＋メッセージ」、パターンＤ「社名＋ロゴ」と設定されており、もっとも広告内容が少ないパターンＤから、もっとも広告内容が多いパターンＡまで４種類の設定がなされている。これに伴い、図５に示すようにパターンＡで１．６倍、パターンＢで１．４倍、パターンＣで１．２倍、パターンＤで１．０倍となっている。この掛け率は、図３のポイントに対しての掛け率となっている。【００２０】  これらサービス実行後、図７に示すように広告主名でサービス利用者に対してお祝いや感謝などのはがきを発行することもサービスの一環として実施される。【００２１】  以下、本サービスの実施に際し、広告主が端末ＰＣを利用して手続きについて、図８から図２０を利用して説明する。
図８は本発明のサービス説明画面の説明図、図９は本発明のログイン画面の説明図、図１０は本発明の広告主操作画面の説明図、図１１は本発明の広告主情報入力画面の説明図、図１２は本発明の広告主情報入力画面の説明図、図１３は本発明の広告主情報入力画面の説明図、図１４は本発明の広告主情報確認画面の説明図、図１５は本発明のポイント管理画面の説明図、図１６は本発明のイベント詳細情報画面の説明図、図１７は本発明の実施データの説明図、図１８は本発明の実施データの説明図、図１９は本発明の解析画面の説明図、図２０は本発明の解析画面の説明図である。
ＷＥＢ上において、図８に示すように本サービスシステムの利用メイン画面が提供されている。ここでは、依頼希望者、広告希望者を含み依頼者、広告主がそのサービスを利用したり、サービスを知るためのサービス説明が各種掲載されるサービス説明画面が閲覧可能となっている。
サービスを利用希望する依頼者や広告主は、そのサービス説明画面に解説された手順により利用申込をおこなう。ここでは、ＷＥＢ上からの申込手続はもちろん、郵送やＦＡＸなどによりおこなうことも可能である。この申込手続により、運営者から依頼者あるいは広告主に対してＩＤとパスワードが発行される。
広告主は図７に示すサービス説明画面の下にあるＬｏｇｉｎ画面へ移行するための「企業様」という表記のなされたボタンをクリックする。これにより、図９に示すｌｏｇｉｎ画面へと移行する。ここでは、ＩＤとパスワードの入力を要求され、指定のＩＤとパスワードを入力することで企業操作画面である図１０へ移行する。
企業操作画面では、「新規情報登録」「情報変更」「ポイント管理」の各操作が利用可能となっている。「新規情報登録」は、申込手続完了後最初に操作するものであり、新規に情報を入力するものである。「情報変更」は、一度入力した内容を変更したり追加する際のものである。「ポイント管理」はサービス料金の設定や課金手続に関する作業をするものである。
「新規情報登録」を選択した場合、図１１に示す企業情報入力画面にすすむ。ここでは、会社名、代表者、担当者名、部署名、創立日、業種、事業概要、郵便番号、住所、ＴＥＬ、ｆａｘ、Ｅ−Ｍａｉｌ、活動概要などの企業基本情報を入力する。ここで、活動概要としては、エコ運動やＩＳＯ、スポーツ促進など、社会的に意義のある活動である。
これらの入力該当事項の入力後、その内容を画面上確認する。内容があっている場合は確定ボタンで入力を確定し、修正が必要な場合は変更ボタンで修正入力を実施する。また、やり直したい場合はＣＡＮＣＥＬボタンをクリックする。
確定ボタンもしくは次へボタンをクリックすることで、図１２の企業コンセプト入力画面に移行する。ここでは、会社ロゴや企業コンセプト、企業コンセプトに基づくメッセージや社会貢献活動などのうち該当するものを入力する。
会社ロゴやコンセプトロゴは画像データであるが、その入力に関してはそれぞれの横に配置された「参照」ボタンをクリックする。ここでは図示しないが、端末ＰＣ内の画像データを参照するダイアログが表示され、該当ファイルを選択して登録することで、その画像ファイルがシステム上にアップロードされシステムの印刷対象事項情報ＤＢの該当する情報フォルダに登録される。以降、本システムにおいて各種画像情報の登録は同様の手順となる。
入力内容を上記と同様に確認し次へボタンをクリックすることで、図１３の製品情報入力画面に移行する。ここでは、製品Ｎｏ、製品名、製品画像、タイトル・キャッチコピー、製品説明に関する情報を入力することができる。図においては、一画面で二つの製品が登録入力可能となっており、それ以降追加するときは次へボタンをクリックする。ここで、確定ボタンをクリックすることで、図１４の確認画面へ移行する。
確認画面では、それまで入力した企業情報、コンセプト情報、製品情報が表示される。ここで、その内容を確認し、もし修正が必要な場合は各情報の横にある修正ボタンを押すことで、該当する情報を修正する修正画面に移行し修正が可能となる（図示せず）。この確認が画面でＯＫボタンをクリックすることで企業情報、製品情報の入力設定が完了する。【００２２】  図１０の企業操作画面から、入力確定後に修正や情報追加を実施することが可能となっている。この際は、「情報変更」ボタンをクリックする。これにより、図示しないが情報の修正画面に移行に、任意の情報を変更したり、製品情報を追加することができる。【００２３】  図１０の企業操作画面から、サービスに関するサービス料金の設定や課金状態、課金の追加などをすることができる。
この際は「ポイント管理」ボタンをクリックする。これにより、ポイント管理画面に移行する。ポイント管理画面では、現在利用可能な残ポイントが表示される。図において残ポイントは５８００ポイントであり、５８０００円分のサービスを提供できる状態であることがわかる。その残ポイントが少なくなった際は追加ボタンをクリックする。これにより、ポイント追加画面に移行し、課金追加に必要な課金追加処理ができる。この課金追加処理は任意のシステムで利用されるものであればよく、ここでは図示していない。
本システムでは、一利用者が利用できるポイントの上限を設定することも可能となっている。上限設定をする場合は、ポイント管理画面の上限設定項目から「有」を選択し、その横のポイント入力欄に上限ポイントの数値を入力設定する。図１５においては、上限設定ポイントは２００００ポイントである。また、上限設定をしない場合は、「無」を設定し、ポイント入力欄はそれにより利用付加となる。一度設定した上限設定を変更する場合は、変更ボタンをクリックすることで、上限設定を新規に設定できる（図示せず）。【００２４】  ポイント管理画面には、イベント情報を閲覧照会するための照会処理が可能となっている。これを利用する場合、「新規」「予定処理中」「処理済」から該当する項目を選択する。ここで「新規」とは、まだ実施されていないイベント情報を照会するものであり、「予定処理中」は現在進行しているイベント情報を照会するもの、「処理済」はイベントが完了したイベント情報を照会するものである。
このうち、「処理済」を選択した際に表示されるのが図１６の画面である。ここでは、各イベント情報の概略項目が表示される。図示した事例では、Ｎｏ、氏名、日付、会場、１ｓｔ数、ｐｏｉｎｔ１、２ｎｄ数、ｐｏｉｎｔ２、３ｒｄ数、ｐｏｉｎｔ３、トータルが項目となっている。ＮｏはイベントＮｏである。氏名はイベントを利用した新郎新婦の一方の氏名である。日付は結婚式が実施された日付である。会場は式場となった会場の該当コードである。１ｓｔ数は案内はがきの対象者数であり、ｐｏｉｎｔ１は案内はがきに適用したポイント数である。２ｎｄ数は式場における参加者数であり、ｐｏｉｎｔ２は式場内の広告印刷の対象に利用されたポイント数である。３ｒｄ数はその他はがきの対象数であり、ｐｏｉｎｔ３はその他はがきに利用されたポイント数である。
ここでは、概略数のみが表示されているが、その詳細を見たい場合は、該当するＮｏをクリックする。このＮｏにはハイパーリンクが貼られており、クリックすることで図１７の詳細情報画面に移行する。
ここで、Ｎｏ２００９０１０１の「田中＊＊」に関する詳細情報を事例として説明する。
詳細情報では、イベント情報として、まずイベントＮｏ、利用者名、日付、会場としての詳細が表示される。
次に、各利用サービスに関する詳細情報が表示される。ここで、案内はがき数（１ｓｔ数）は１２０人であり、パターンＤである「社名＋ロゴ」が印刷物に広告印刷されたことがわかる。ここでパターンＤの掛け率は上述したように１．０倍であるため利用されるポイントは１２０人×２０ポイント×１．０倍となり計２４００ポイントであることがわかる。
次に実際の式参加者（２ｎｄ数）は１０２名であることがわかる。
そして、式における印刷対象物は席次表、メニュー、席札、ウェルカムボードが利用されたことがわかる。このうち、席次表、メニュー、席札はパターンＤの表記が選択され、ウェルカムボードはパターンＡが選択され「社名＋ロゴ＋製品＋メッセージ」の広告印刷が利用されたことがわかる。これにより、ｐｏｉｎｔ２は２４００ポイントであることがわかる。
また、出席できなかった報告はがき数（３ｒｄ数）は３８名であることがわかる。そして、そのｐｏｉｎｔ３が４５０ポイントであることがわかる。
そして、総利用ポイント数が１５２５６ポイントであることがわかる。
また、前記ポイント管理画面において上限設定がなされ、そのポイントに達した場合は、総利用ポイント数は上限設定ポイントとなる。図１６において、イベントＮｏ２００９０１０５がこれに該当し、この際トータルポイント数が設定された２００００ポイントとなる。また上限に達したことを明確にするために、２００００ポイントとなったときには、その項目の枠内に色が付されるようになっている。【００２５】  図１５のポイント管理画面から、広告に利用された内容から利用者がどのような傾向で広告内容を選択しているのかを分析することも可能となっている。
例えば、製品Ａ、製品Ｂ、製品Ｃ、製品Ｄが利用可能である中で、実際に利用された広告に該当する統計データが図１８のような状態であったとする。この統計データを参照し、年齢別ボタンをクリックすると図１９のように、選択された年代の利用者がどの製品を好んで選択しているかがわかる。これにより、年代別の製品の人気度がわかる。
また、製品別ボタンをクリックすることで、その製品が年代別にどのように好まれているかがわかる。
これらの分析データがマーケティング情報となり、製品開発や営業のために営業戦略に活用することができる。
分析対象はこれに限定されることなく、従来の各種分析に必要な情報を利用することが各種分析が可能となる。【００２６】  次に本サービスシステムの利用に際し、依頼者が端末ＰＣを利用して手続きについて、図２１から図３２を利用して説明する。
図２１は本発明の依頼者操作画面の説明図、図２２は本発明の依頼者情報入力画面の説明図、図２３は本発明の依頼対象者入力画面の説明図、図２４は本発明の依頼対象者入力画面の説明図、図２５は本発明の依頼者情報確認画面の説明図、図２６は本発明の依頼対象者入力画面の説明図、図２７は本発明のイベント詳細情報画面の説明図、図２８は本発明の二次発送物操作画面の説明図、図２９は本発明の二次発送物操作画面の説明図、図３０は本発明の二次発送物対象者情報選択画面の説明図、図３１は本発明の印刷フォーマット設定画面の説明図、図３２は本発明の二次発送物の説明図である。
依頼者は申込手続によりＩＤとパスワードを入手し、図７に示すサービス説明画面の下にあるＬｏｇｉｎ画面へ移動するための「ご利用者様」という表記のなされたボタンをクリックする。これにより、図９に示すｌｏｇｉｎ画面へと移行する。ここでは、ＩＤとパスワードの入力を要求され、指定のＩＤとパスワードを入力することで利用者操作画面である図２１へ移行する。
利用者操作画面では、「新郎新婦情報」「ゲスト情報」「イベント情報」「二次発送物管理」のボタンが用意されており、それらに対応した画面に移行する。
「新郎新婦情報」ボタンをクリックした場合には、図２２の新郎情報入力画面に移行する。ここでは、新郎の氏名、性別、生年月日、郵便、住所、ＴＥＬ、ＦＡＸ、Ｅ−Ｍａｉｌ、業種の項目が入力できるようになっている。必要事項を入力し正しければＯＫボタンを押し、取り消す場合はＣａｎｃｅｌボタンをクリックする。続けて新婦情報を入力する場合には、新婦情報ボタンをクリックし、新郎新婦の親族情報を入力する場合には親族情報ボタンをクリックする。これにより、新郎情報と同様に各対象者の情報を同様に入力する。
利用者操作画面で、「ゲスト情報」をクリックすると図２３に示すゲスト情報入力画面に移行する。ここで、同様に各種ゲスト情報を入力できるようになっている。なお、ゲスト情報入力画面には、年賀状、暑中見舞、誕生報告、転居報告、喪中案内などの想定される二次発行物チェック欄が設けられており、後の二次発行物作業に反映させることができるようになっている。
図２４に示すように、一人の情報を入力後ＯＫボタンをクリックすることで、図２５の確認画面に移行する。ここで、修正が必要な場合は修正ボタンをクリックすることで、入力修正ができる。あっていれば、確認ボタンをクリックすることで図２６に示すように次の対象ゲストの入力画面へと移行する。Ｃａｎｃｅｌボタンをクリックした場合は、ゲスト情報入力画面が終了するようになっている。作業中断後、再度ゲスト入力を追加したい場合は、図２１の利用者操作画面からゲスト情報を選択することで、追加入力できるようになっている。【００２７】  図２１の利用者操作画面において、「イベント情報」を選択することで本サービスシステムを利用する印刷広告内容を設定することができる。
まず、「イベント情報」を選択すると図２７のイベント情報設定画面に移行する。ここで、印刷対象物や印刷対象事項を設定し、そのサービス実施に際して受けられるサービスポイントの内容を把握することができる。
設定にあたり、まず各印刷物に対してどのパターンを利用するかを選択する。そして、該当する項目内に設けられたプレビューボタンを押すことで、図３１に示すようなフォーマット設定画面に移行する。図３１は誕生祝いはがきを対象にしたものであるが、基本的には各印刷対象物に対応し各種印刷パターンのフォーマットが選択できるようになっており、必要に応じて自分の所有する画像を利用する場合は、その画像をアップロードできるようになっている。また、各印刷物にコメントを追加したい場合は、詳細設定ボタンをクリックすることで、位置、フォント、サイズ、色、柄などの各種詳細な設定ができるようになっている。
ＯＫボタンでイベント情報設定画面に戻り、更なる設定が可能となっており、順次該当するものを設定していく。これら設定により、印刷対象物、印刷対象事項が決定し、その情報に基づいて各種印刷物が発行されイベントなどに利用される。【００２８】  本サービスシステムにあっては、イベント終了後においても二次発送物に関するサービスを受けることができる。
挙式などのイベント終了後、本サービスシステムを利用した依頼者は、継続して利用可能なアクセス手段により、過去に自身が利用した本システムにアクセス可能となる。そして、図２１に示す利用者操作画面から二次発送物管理ボタンをクリックする。これにより、図２８に示すように二次発送物管理画面に移行し、二次発行物を選択可能となっている。
ここでは、結婚した新郎新婦がその後子供が誕生した際に、その報告を行うための誕生報告はがき発送を事例として説明する。
二次発送物管理画面において、誕生報告ボタンをクリックすると図２９の誕生報告設定画面に移行する。ここでは、「対象者設定」と「フォーマット設定」が選択可能となっている。
ここで、対象者設定ボタンをクリックすることで図３０に示す対象者設定画面に移行する。この画面においては、本サービスシステムにおけるゲスト情報入力画面で入力された対象者のリストが表記される。ここにおいて、表示された対象者リストの横にはチェックボックスが表記される。そのチェック事項を確認し、追加や削減が必要な場合はチェックボックスを選択することで、対象者の設定が可能となる。
このチェックボックスは、前記ゲスト情報入力画面で将来の必要性により選択されたものであり、これにより二次、三次以降の継続する発行物の手続きを大幅に軽減できる。
また、図２９の誕生報告設定画面においてフォーマット設定ボタンをクリックすることで、図３１のフォーマット設定画面に移行する。ここでは、誕生した子供の名前、性別、画像などが選択できるようになっており、前述したフォーマット設定画面における設定が可能となっている。
そして、これらの設定により図３２に示すような誕生はがきが対象者に送付され、これに伴う印刷対象事項に応じての料金サービスを受けることができる。
その他、二次発行物においても同様にサービスを受けることが可能となる。
【符号の説明】
【００２９】運営者サーバ  １、
通信回線網  ２、
ＰＣ端末  ３ａ；３ｂ；３ｃ；３ｄ；３ｅ、
イベント対象者情報ＤＢ  ４、
広告主情報ＤＢ  ５、
印刷対象物情報ＤＢ  ６、
印刷対象事項情報ＤＢ  ７、
イベント情報ＤＢ  ８、
課金情報ＤＢ  ９、
印刷出力情報ＤＢ  １０、
案内状  １１、
地図  １２、
祝辞はがき  １３、
誕生はがき  １４、
【図１】
2011243172.tif 000003
【図２】
2011243172.tif 000004
【図３】
2011243172.tif 000005
【図４】
2011243172.tif 000006
【図５】
2011243172.tif 000007
【図６】
2011243172.tif 000008
【図７】
2011243172.tif 000009
【図８】
2011243172.tif 000010
【図９】
2011243172.tif 000011
【図１０】
2011243172.tif 000012
【図１１】
2011243172.tif 000013
【図１２】
2011243172.tif 000014
【図１３】
2011243172.tif 000015
【図１４】
2011243172.tif 000016
【図１５】
2011243172.tif 000017
【図１６】
2011243172.tif 000018
【図１７】
2011243172.tif 000019
【図１８】
2011243172.tif 000020
【図１９】
2011243172.tif 000021
【図２０】
2011243172.tif 000022
【図２１】
2011243172.tif 000023
【図２２】
2011243172.tif 000024
【図２３】
2011243172.tif 000025
【図２４】
2011243172.tif 000026
【図２５】
2011243172.tif 000027
【図２６】
2011243172.tif 000028
【図２７】
2011243172.tif 000029
【図２８】
2011243172.tif 000030
【図２９】
2011243172.tif 000031
【図３０】
2011243172.tif 000032
【図３１】
2011243172.tif 000033
【図３２】
2011243172.tif 000034